(57)【要約】【課題】不正基板等の取り付けを確実に防止することができる遊技機のホッパー装置の不正操作防止構造を提供する。【解決手段】ホッパーベース２６０の面部２６０ａ、２６０ｂ，２６０ｃ、２６０ｄを透明な合成樹脂で形成すると共に、ホッパーベース２６０の下部に、ホッパー装置２５を筐体２内から引き出すようにスライド移動させ、かつ、駆動部２５５のアースをとるための板金レール２６１ａ，２６１ｂを備えるようにする。【選択図】図９
2008220739.tif 000002
【特許請求の範囲】
【請求項１】
前扉により開閉される筐体内に投入されたメダルを一時的に貯留するホッパータンクと、
前記ホッパータンク内のメダルを必要に応じて回転体の回転動によって排出するメダル排出機構部と、
前記回転体の駆動部を収容すると共に、前記ホッパータンクと前記メダル排出機構部とを前記筐体の底板上面において支承するホッパーベースと、
を備えた遊技機のホッパー装置の不正操作防止構造において、
前記ホッパーベースの全面部を透明な合成樹脂で形成し、前記ホッパーベース内部を目視可能としたことを特徴とする遊技機のホッパー装置の不正操作防止構造。
【請求項２】
前記ホッパーベースの下部に、前記ホッパー装置を前記筐体内から引き出すようにスライド移動させ、かつ、前記駆動部のアースをとるための板金レールを備えたことを特徴とする請求項１に記載の遊技機のホッパー装置の不正操作防止構造。
【発明の詳細な説明】
【技術分野】
【０００１】
この発明は、スロットマシン等の遊技機のホッパー装置の不正操作防止構造に関する。
【背景技術】
【０００２】
従来、この種の遊技機のホッパー装置の不正操作防止構造にあっては、ホッパー装置に設けられたメダル排出口に開閉蓋を設けることにより、メダル払出口からホッパー装置内部に向かって針金等の異物が挿入されるのを防止することが提案されていた（例えば、特許文献１参照）。
【０００３】
【特許文献１】特開２００４−２８３４２２号公報
【発明の開示】
【発明が解決しようとする課題】
【０００４】
しかしながら、上記した従来の遊技機のホッパー装置の不正操作防止構造にあっては、大当たりを出易くした不正基板等を、ホッパー装置の基部をなす板金製のホッパーベース内に仕込むような遊技機のハイテク化に伴った不正操作に対しては、効果がないという問題がある。
【０００５】
本発明は、こうした事情に鑑みてなされたものであり、不正基板等の取り付けを確実に防止することができる遊技機のホッパー装置の不正操作防止構造を提供することを目的とする。
【課題を解決するための手段】
【０００６】
上記目的を達成するため請求項１に記載の発明は、前扉により開閉される筐体内に投入されたメダルを一時的に貯留するホッパータンクと、前記ホッパータンク内のメダルを必要に応じて回転体の回転動によって排出するメダル排出機構部と、前記回転体の駆動部を収容すると共に、前記ホッパータンクと前記メダル排出機構部とを前記筐体の底板上面において支承するホッパーベースと、を備えた遊技機のホッパー装置の不正操作防止構造において、
前記ホッパーベースの全面部を透明な合成樹脂で形成し、前記ホッパーベース内部を目視可能としたことを特徴とする。
【０００７】
請求項１に記載の発明によれば、ホッパーベースの全面部を透明な合成樹脂で形成したので、前扉を開ければ、筐体内に設けられたホッパーベースの内部を目視することができるようになる。これにより、ホッパーベースの内部に不正基板等が仕込まれても、簡単かつ容易に発見することができるようになるので、ホッパー装置に対する不正操作を確実に防止することが可能となる。
【０００８】
上記目的を達成するため請求項２に記載の発明は、前記ホッパーベースの下部に、前記ホッパー装置を前記筐体内から引き出すようにスライド移動させ、かつ、前記駆動部のアースをとるための板金レールを備えたことを特徴とする。
【０００９】
請求項２に記載の発明によれば、ホッパーベースの下部に取り付けられた板金レールによって、ホッパー装置は筐体内から引き出されると共に、駆動部のアースをとることができるようになっている。これにより、従来、ホッパーベースは板金製であったが、合成樹脂製にしても何等不都合が生じることはない。従って、板金製のホッパーベースの代わりに合成樹脂製のホッパーベースを採用することができるようになる。
【発明の効果】
【００１０】
本発明の遊技機のホッパー装置の不正操作防止構造によれば、ホッパーベースの全面部を透明な合成樹脂で形成した。これにより、前扉を開ければ、筐体内に設けられたホッパーベースの内部を目視することができるので、ホッパー装置に不正基板等を仕込むような不正操作を防止することができる。
【発明を実施するための最良の形態】
【００１１】
以下、本発明の好適な一実施形態を、スロットマシンを例に図面を参照して説明する。図１は、スロットマシンの正面図、図２は、前扉を開放した状態におけるスロットマシンの内部構造を示した正面図である。
【００１２】
スロットマシン１は、図１，２に示されるように、前面が開放した矩形状箱体の筐体２（図２に図示）と、この筐体２にスライドヒンジ３，３を介して開閉可能に取り付けられた右開き（左ヒンジ）の前扉（所謂フロントマスク）４と、を備えて構成されている。
【００１３】
まず、筐体２の内部構造について説明する。
筐体２は、図２に示されるように、いずれも木製の上板部２ａ、左右側板部２ｂ，２ｃ、底板部２ｄ、背板部２ｅを備えて構成されている。
筐体２内の背板部２ｅの上部には、スロットマシン１の全体動作を集中制御するＣＰＵ（マイコン）を備えた主制御基板２０が、硬質プラスチック製のカバー２１内に収容された状態で取り付けられている。カバー２１は、主制御基板側に設けられた基板側カバーに蓋側カバーが重ね合わされた状態で、両カバー上部間に跨った２つのかしめ具としてのかしめキャップ２２により内部封止がなされている。かしめキャップ２２は、ほぼ円筒状の本体部の左右側部に一体形成された前後２つの固定係止爪が、それぞれ基板側カバー或いは蓋側カバーの所定位置に係止することにより、基板側カバーと蓋側カバーとを抜け止め固定し、カバー２１を封止するようになっている。
【００１４】
また、筐体２内の右側板部２ｃの上部には、スロットマシン１からホールコンピュータに向かって所定の情報データ（例えば、大当たり、払い戻し数等）を出力するための外部出力端子を備えた外部集中端子基板２３が取り付けられている。
【００１５】
筐体２内の中央には、リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれたリール１０１ａ，１０１ｂ，１０１ｃが位置するようになっている。
【００１６】
リール１０１ａ，１０１ｂ，１０１ｃは、それぞれに内蔵されたステッピングモータによって回転駆動されるものであって、リールユニット１００の上面には、ステッピングモータへ４相の駆動パルス信号を送出する回胴装置基板２４が取り付けられている。そして、主制御基板２０が回胴装置基板２４に回胴駆動（励磁）パルスデータを送出することで、リールｌ０１ａ，１０１ｂ，１０１ｃの回転、制動及び停止の制御が行われるようになっている。
【００１７】
リールユニット１００の下方側、つまり筐体２内の底板部２ｄの上面中央には、筐体２内に投入されたメダル等の遊技媒体（以下、メダルという）を一時的に貯留し、必要に応じて払い出すメダル払出装置としてのホッパー装置２５が取り付けられている。このホッパー装置２５の右側には、このホッパー装置２５から溢れたメダルを収容するためのサブタンク２６が取り付け固定されている。また、ホッパー装置２５の左側には、外部から電力供給を受けて内部装置に必要な電力を供給する主電源装置２７がアースされた状態で取り付け固定されている。この主電源装置２７には、いわゆる配電盤に相当する電源装置基板が内蔵されている。
【００１８】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００１９】
上部パネル部５の中央には、パネル面５０が設けられている。このパネル面５０のほぼ中央には、略矩形状の透明な表示窓５１が設けられており、この表示窓５１を通して、筐体２内に設けられたリールユニット１００の３個のリール１０１ａ，１０１ｂ，１０１ｃを目視できるようになっている。
【００２０】
上部パネル部５の上部や左右側部には、レンズパネルの内部に蛍光灯や高輝度発光ダイオード等の光源を内蔵する照明手段としての照明演出装置５２、演出用照明部５３ａ〜５３ｈが配設されている。これら照明演出装置５２、演出用照明部５３ａ〜５３ｈは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている
【００２１】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２２】
下部パネル部６には、スロットマシン１のモデルタイプを遊技者へ認識させる等のため、登場キャラクターの意匠等を表示するパネル６１が設けられている。このパネル６１の下方には、受皿ユニット６２、入賞時にメダルを排出するメダル払出口６３、演出効果音を発生するスピーカ４９ａ，４９ｂ（図２に図示）を内蔵した演出用放音部６４ａ，６４ｂ等が配設されている。さらに、受皿ユニット６２には、メダル払出口６３から払い出されたメダルを貯留する受皿部６２ａが一体形成されていると共に、遊技者の喫煙の用に供するための灰皿部材６５が設けられている。
【００２３】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｈと同様に、ゲームの進行に応じて点灯或いは点滅することで、ゲームにおける視覚的な演出効果を高めるようになっている。
【００２４】
操作卓７は、その上面側に、メダル投入部７１、ベットボタン７２，７３が配設されていると共に、前面側に、スタートレバー７４、ストップボタン７５ａ，７５ｂ，７５ｃ、精算ボタン７６、イジェクトボタン７７、鍵穴７８が配設されている。
【００２５】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２６】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２７】
イジェクトボタン７７は、メダル投入後に詰まったメダルを排出するボタンスイッチである。
鍵穴７８は、前扉４を開錠するための鍵が挿入されるものであって、この鍵穴７８にスロットマシン１の管理者などが所定の鍵を挿入して開錠操作すると、スライドヒンジ３，３を介して筐体２に取り付けられた前扉４を前方へ開くことができるようになっている。また、前扉４を筐体２側に閉じると、自動的にこれらを施錠するようになっている。
【００２８】
次に、前扉４の裏面構造について説明する。
図２に示されるように、前扉４の裏面側上部、つまり、液晶表示演出装置５５の裏面側にあたる位置には、電気回路基板によって形成されたサブ制御基板４０が、カバー２１と同様の態様により、硬質プラスチック製のカバー４１に収納された状態で配設されている。このサブ制御基板４０は、液晶表示演出装置５５による演出映像の表示制御、照明演出装置５２及び演出用照明部５３ａ〜５３ｈ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００２９】
サブ制御基板４０の下方側、すなわち、パネル面５０の裏面側にあたる位置には、リールｌ０１ａ，１０１ｂ，１０１ｃの外周面を照射して図柄を明るく表示させるための冷陰極蛍光ランプを収納した収納部４３と、冷陰極蛍光ランプを駆動するインバータ４４と、硬質プラスチック製の中央制御基板カバー４５に収納された中央制御基板４６とが、ユニット化された状態で取り付けられている。
【００３０】
中央制御基板４６の下方には、メダル選別装置４７が配設されている。このメダル選別装置４７は、メダル投入部７１から投入されたメダルの適否を判別し振り分ける装置である。さらに、このメダル選別装置４７は、メダルセンサを内蔵しており、ゲームの待機状態等において正規のメダルが投入されてメダルセンサがこのメダルを検出すると、メダル投入の受け付けを示す信号を中央制御基板４６へ送出するようになっている。
【００３１】
また、メダル選別装置４７には、メダル選別装置４７の右側面から排出された正規のメダルを筐体２内に設けられたホッパー装置２５へ案内する紙面奥側から手前側に延びた平面視Ｊ字状のガイド部材４８ａと、メダル選別装置４６により排除されたメダル（或いは異物）を下方のメダル排出口６３へ案内するガイド部材４８ｂとが連なっている。さらに、ガイド部材４８ｂの下部には、ホッパー装置２５から排出されたメダルをメダル排出口６３へ案内するガイド部材４８ｃが連なっている。
また、前扉４の裏面側下部、つまり、演出用放音部６２の裏目側にあたる位置には、左右一対のスピーカ４９ａ，４９ｂが配設されている。
【００３２】
そして、スロットマシン１は、遊技者がメダルを投入し、今回の遊技に賭けるメダル数を選択するベットボタン７２，７３の何れかを押圧操作し、スタートレバー７４を叩いてリール１０１ａ，１０１ｂ，１０１ｃを回転させ、ストップボタン７５ａ，７５ｂ，７５ｃを押してリール１０１ａ，１０１ｂ，１０１ｃが停止した際の各リール１０１ａ，１０１ｂ，１０１ｃに描かれている図柄や数字等の識別情報が所定の組み合せとなると、その組み合わせの態様に応じて予め定められた枚数のメダルを払い出すようになっている。
【００３３】
次に、本発明のスロットマシンのホッパー装置の不正操作防止構造について図３〜９を用いて説明する。図３は、同例におけるホッパー装置の斜視図、図４は、同ホッパー装置の分解斜視図、図５は、同ホッパー装置の平面図、図６は、ホッパータンクが取り外された状態のホッパー装置の平面図、図７は、同ホッパー装置の底面図、図８は、同ホッパー装置のホッパーベースの内部を説明するための図、図９は、同ホッパー装置の正面図である。
【００３４】
図３〜９に示されるように、ホッパー装置２５は、ホッパータンク２５０、メダル排出機構部２５１、ホッパーベース２６０を備えて構成されている。
【００３５】
詳述すると、ホッパータンク２５０は、汎用プラスチック、例えば、ＡＢＳ（アクリロニトリルブタジエンスチレン）樹脂により成型された漏斗型タンクであり、ガイド部材４８ａ（図２に図示）から送出されたメダルを、図３〜５に示されるように、上方に向かって開口した開口部２５０ａからタンク内に導入すると共に、ホッパータンク２５０に一体形成された右下がりの斜面部２５０ｂによって、左斜め下方に向かって延びる筒状のタンク底部２５０ｃ内に移動させるようになっている。
【００３６】
また、このホッパータンク２５０の内側には、ホッパータンク２５０から溢れたメダルをサブタンク２６（図２に図示）に送出するためのガイド部材２５０ｄが、ホッパータンク２５０の前扉４に臨む面部２５０ｅに一体形成された切り欠き部２５０ｆと、右側板部２ｃに臨む面部２５０ｇに一体形成された矩形状の開口部２５０ｈとに跨って一体的に取り付けられている。
【００３７】
さらに、このホッパータンク２５０のタンク底部２５０ｃに直交するように連なったほぼ矩形状のタンクベース２５０ｉの４隅には、図４に示されるように、係合爪２５０ｊ，２５０ｋ，２５０ｍ，２５０ｎ（但し、図４中にあっては、２５１ｎのみ図示せず）が下方に向かって延びるように一体形成されている。
【００３８】
次に、メダル排出機構部２５１について説明する。
メダル排出機構部２５１は、図４に示されるように、排出機構側ホッパータンクベース２５２、回転体としてのロータディスク２５３、メダル排出口２５４（図３に図示）、駆動部２５５（図７に図示）、メダルセンサ２５６（図７に図示）を備えて構成されており、ロータディスク２５３の正回転動によりホッパータンク２５０内のメダルを１枚ずつメダル排出口２５４から排出するように構成されている。
【００３９】
排出機構側ホッパータンクベース２５２は、汎用プラスチック、例えば、ＰＯＭ（ポリアセタール）樹脂により成形されているものであって、斜めに傾いた上面２５２ａの４隅には、図４，６に示されるように、係合爪２５０ｊ〜２５０ｎに応じて開口された開口部２５２ｂ，２５２ｃ，２５２ｄ，２５２ｅが一体的に設けられている。
【００４０】
これら開口部２５２ｂ〜２５２ｅは、挿入された係合爪２５０ｊ〜２５０ｎと係合したり、或いは、図６に示されるように、左右方向に進退移動可能となるように引っ張りバネ２５２ｆ，２５２ｇによって付勢されたスライド部材２５２ｈに係合させることによって、排出機構側ホッパータンクベース２５２の上面２５２ａにホッパータンク２５０をしっかりと結合固定するようになっている。
すなわち、排出機構側ホッパータンクベース２５２の上面２５２ａにホッパータンク２５０が結合固定されている状態において、スライド部材２５２ｈを図６中左側に向かって引っ張り操作すると、係合爪２５０ｍ，２５０ｎがフリーの状態になるので、排出機構側ホッパータンクベース２５２の上面２５２ａからホッパータンク２５０を容易に取り外すことができるようになる。これにより、メンテナンス性がより向上することとなる。
【００４１】
また、排出機構側ホッパータンクベース２５２の上面２５２ａには、ロータディスク２５３を回転可能に収容するための円形状の凹部２５２ｉが、タンク底部２５０ｃに臨むように設けられている。
【００４２】
図４に示されるように、凹部２５２ｉの中央に配設された回転駆動軸２５５ａには、スプリング２５５ｂ及びカラー２５５ｃを介して、固定ネジ２５５ｄによりロータディスク２５３がネジ止め固定されるようになっている。
回転駆動軸２５５ａは、図７に示されるように、排出機構側ホッパータンクベース２５２の裏面側に設けられた駆動部２５５によって回転駆動されるものである。そのため、駆動部２５５は、回転駆動軸２５５ａを駆動するための電気モータ２５５ｅ、噛み合いギヤを内蔵した金属製のギヤケース２５５ｆを備えている。なお、この駆動部２５５は、後述するメダルセンサ２５６と共にホッパーベース２６０内に突出した状態で収容配置されるようになっている。
【００４３】
ロータディスク２５３は、汎用プラスチック、例えば、ＰＯＭ（ポリアセタール）樹脂により成形されているものであって、その端面には、図４，６に示されるように、凹部２５２ｉにメダルを１つずつ落とし込むための等配孔２５３ａが複数穿設されている。また、ロータディスク２５３の下面には、等配孔２５３ａから落とし込まれたメダルを凹部２５２ｉの周縁部に押し付けながら移動させるための渦巻き状の突出部（図示せず）が一体的に形成されている。
なお、メダルが摺接する凹部２５２ｉの周縁部には、金属製の薄い平軸受としてのメタル部材２５２ｊ（図４，６に図示）が取り付けられている。
【００４４】
また、図４に示されるように、凹部２５２ｉに隣接してメダル排出通路２５２ｋが形成されている。このメダル排出通路２５２ｋの入口側には、ロータディスク２５３によって搬送されてきたメダルをロータディスク２５３から離脱させて排出するように誘導する金属製のプレート部材２５２ｍが取り付けられている。
そして、メダル排出通路２５２ｋの上面側に、プレート部材２５２ｍを固定するための固定係止部材（例えば、ＰＯＭ樹脂成型品）２５２ｎをネジ止め固定することにより、図３に示されるように、排出機構側ホッパータンクベース２５２の前扉４に臨んだ面部２５２ｐにメダル排出口２５４が形成されることとなる。
【００４５】
このプレート部材２５２ｍに近接した位置には、図６に示されるように、メダルの外周縁が摺接することによって回転動する回転体２５６ａを軸支した固定軸２５６ｂが設けられている。なお、回転体２５６ａに干渉しないように、固定係止部材２５２ｎには開口部２５２ｑが形成されている。
【００４６】
さらに、同図に示されるように、この固定軸２５６ｂと所定距離をあけた位置には、メダルの外周縁が摺接することによって回転する回転体２５６ｃを軸支したメダル排出軸２５６ｄが進退移動可能に設けられている。このメダル排出軸２５６ｄは、メダルの外周縁が摺接することによって、一旦は引張コイルバネ２５６ｆ（図７に図示）の引っ張り力に抗って、ロータディスク２５３の外周に沿って後退移動し、メダルが所定位置になると勢いよく復帰（前進）移動することによって、回転体２５６ａと協働してメダルをメダル排出口２５４に向かって勢いよく弾き出すようになっている。
【００４７】
また、図７に示されるように、排出機構側ホッパータンクベース２５２の裏面側には、上述した駆動部２５５に加えて、メダルの排出を光検出するメダルセンサ２５６としてのフォトセンサ２５６ｆ，２５６ｇが設けられている。
フォトセンサ２５６ｆ，２５６ｇは、それぞれ一対の発光部と受光部とを備えており、メダル排出軸２５６ｄの進退移動に伴って所定範囲内を往復回動する偏芯カム部材２５６ｈに連なったアーム部２５６ｉの回動に応じて、発光部から発せられた光が遮られたか否かによって、メダルが排出されたか否かを検出するようになっている。
【００４８】
さらにまた、この排出機構側ホッパータンクベース２５２の４隅には、ホッパーベース２６０と結合固定するための爪部２５２ｒ，２５２ｓ（図４に図示）と、係合開口部２５２ｔ，２５２ｕ（図６に図示）と、ネジ止め固定するためのフランジ部２５２ｖ，２５２ｗ（図６に図示）とが一体形成されている。
【００４９】
次に、ホッパーベース２６０について説明する。
ホッパーベース２６０は、図７，８に示されるように、上方及び下方が開口しており、その内部に、駆動部２５５やメダルセンサ２５６を収容すると共に、ホッパータンク２５０とメダル排出機構部２５１とを筐体２の底板部２の上面において右下がりの状態で支承する枠体である。
そして、このホッパーベース２６０はその全面部、すなわち、図４に示されるように、前扉４に臨んだ面部２６０ａ、筐体２の左右側板部２ｂ，２ｃに臨んだ面部２６０ｂ，２６０ｃ、背板部２ｅに臨んだ面部２６０ｄ、等が、汎用プラスチック、例えば、透明なＡＢＳ樹脂によって一体形成されている。
さらに、このホッパーベース２６０は、図７に示されるように、内部に向かって膨出することにより、ホッパーベース２６０の内部を狭める膨出部２６０ｅ，２６０ｆ，２６０ｇ，２６０ｈが一体形成されている。特に、膨出部２６０ｅ，２６０ｆにあっては、指を差し入れることができる把持部として形成されているので、ホッパー装置２５を持ち運ぶ際の利便性が向上することとなる。
【００５０】
なお、ホッパーベース２６０の面部２６０ａ、２６０ｂ，２６０ｃ、２６０ｄを透明としたが、これに限定されるものではなく、前扉４に臨んだ面部２６０ａのみを透明とし、他の面部２６０ｂ，２６０ｃ、２６０ｄを不透明としてもよい。
【００５１】
また、このホッパーベース２６０の下部には、ホッパー装置２５を筐体２内から引き出すようにスライド移動させ、かつ、駆動部２５５やメタル部材２５２ｊのアースをとるための板金レール２６１ａ，２６１ｂがネジ止め固定されている。これらの板金レール２６１ａ，２６１ｂは、筐体２の底板部２ｄの上面に並設された筐体側板金レール（図示せず）に摺接可能に支持されている。また、これら筐体側板金レールは、底板部２ｄの幅方向に沿って配設された平板状の板金ガード板（図示せず）を介して、アースがとられている主電源装置２７の筐体に接合されている。そのため、板金レール２６１ａ，２６１ｂと、駆動部２５５やメタル部材２５２ｊとを導線（図示せず）により接続すると、アースをとることができるようになっている。
【００５２】
以上説明したように本発明によれば、ホッパーベース２６０の面部２６０ａ，２６０ｂ，２６０ｃ，２６０ｄを透明な合成樹脂で一体形成したので、前扉４を開ければ、図９に示されるように、筐体２内に設けられたホッパーベース２６０の内部を目視することができるようになる。従って、ホッパーベース２６０の内部に不正基板等が仕込まれても、簡単かつ容易に発見することができるようになるので、ホッパー装置２５に対する不正操作を確実に防止することが可能となる。
【００５３】
また、本発明によれば、ホッパーベース２６０の下部に取り付けられた板金レール２６１ａ，２６１ｂによって、ホッパー装置２５は筐体２内から引き出されると共に、駆動部２５５やメタル部材２５２ｊのアースをとることができるようになっている。これにより、ホッパーベース２６０は従来、板金製であったが、合成樹脂製にしても何等不都合が生じることはない。従って、板金製のホッパーベースの代わりに合成樹脂製のホッパーベースを採用することができるようになる。
【図面の簡単な説明】
【００５４】
【図１】スロットマシンの正面図である。
【図２】前扉を開放した状態におけるスロットマシンの内部構造を示した正面図である。
【図３】同例におけるホッパー装置の斜視図である。
【図４】同ホッパー装置の分解斜視図である。
【図５】同ホッパー装置の平面図である。
【図６】ホッパータンクが取り外された状態のホッパー装置の平面図である。
【図７】同ホッパー装置の底面図である。
【図８】同ホッパー装置のホッパベースの内部を説明するための図である。
【図９】同ホッパー装置の正面図である。
【符号の説明】
【００５５】
１…スロットマシン（遊技機）
２…筐体
４…前扉
２５…ホッパー装置
２５０…ホッパータンク
２５１…メダル排出機構部
２６０…ホッパーベース
２６０ａ、２６０ｂ，２６０ｃ、２６０ｄ…面部
２６１ａ，２６１ｂ…板金レール
【図１】
2008220739.tif 000003
【図２】
2008220739.tif 000004
【図３】
2008220739.tif 000005
【図４】
2008220739.tif 000006
【図５】
2008220739.tif 000007
【図６】
2008220739.tif 000008
【図７】
2008220739.tif 000009
【図８】
2008220739.tif 000010
【図９】
2008220739.tif 000011